(57)【要約】【課題】  厳しい条件下で使用する場合でも、耐久性を十分に確保する。【解決手段】  保持器１２ｄの内周面のうち、各ポケット１７の開口周縁部に、この内周面のうちのこれら各開口周縁部から外れた部分よりも外径側に凹入する、それぞれが断面円弧形である複数の内径側凹部２６、２６を形成する。この構成により、玉軸受の内部空間で、上記各開口周縁部の内径側に存在する空間を大きくできると共に、各内径側凹部２６、２６内に入り込んだグリースを、これら各内径側凹部２６、２６内に保持したままの状態に維持し易くでき、上記課題の解決を図れる。【選択図】  図２
2005214257.tif 000002
【特許請求の範囲】
【請求項１】
円環状の主部と、この主部の軸方向片面に設けられた、それぞれの内周面を凹面とした複数のポケットとを備え、これら各ポケットは、上記主部の軸方向片面に互いに間隔をあけて配置された１対ずつの弾性片同士の間に設けられたものである保持器に於いて、内、外両周面のうちの少なくとも一方の周面で、上記各ポケットの開口周縁部に、この一方の周面のうちのこれら各開口周縁部から外れた部分よりも径方向に凹入する凹部を形成した事を特徴とする保持器。
【請求項２】
内周面及び外周面で各ポケットの開口周縁部に、これら内周面及び外周面のうちのこれら各開口周縁部から外れた部分よりも径方向に凹入する凹部を形成した、請求項１に記載した保持器。
【請求項３】
内周面に外輪軌道を有する外輪と、外周面に内輪軌道を有する内輪と、これら外輪軌道と内輪軌道との間にそれぞれ転動自在に設けられた複数個の玉と、これら各玉を転動自在に保持する保持器と、上記外輪の両端部内周面と上記内輪の両端部外周面との間に設けられた１対のシール部材とを備え、この外輪の内周面とこの内輪の外周面との間で上記各玉を設置した内部空間内にグリースを封入している玉軸受に於いて、上記保持器が、請求項１又は請求項２に記載した保持器である事を特徴とする玉軸受。
【請求項４】
外輪をオルタネータを構成するハウジングに内嵌し、内輪をこのオルタネータを構成する回転軸に外嵌する事により、この回転軸をこのハウジングに対し回転自在に支持した状態で使用する、請求項３に記載した玉軸受。
【発明の詳細な説明】
【技術分野】
【０００１】
本発明の保持器及び玉軸受は、例えば自動車用発電機であるオルタネータ等の、高温、高速条件下で使用される電装部品、補機類等の回転部分を支持する玉軸受に組み込んで、複数の玉を転動自在に案内する為の保持器の改良に関する。
【背景技術】
【０００２】
自動車の走行用エンジンを駆動源として、自動車に必要な発電を行なうオルタネータの構造が、例えば特許文献１に記載されている。図１２は、特許文献１に記載されたオルタネータ１を示している。ハウジング２の内側に回転軸３を、１対の玉軸受４、４により、回転自在に支持している。この回転軸３の中間部には、ロータ５と整流子６とを設けている。又、この回転軸３の一端部（図１２の右端部）で上記ハウジング２外に突出した部分には、従動プーリ７を固定している。エンジンへの組み付け状態では、この従動プーリ７に無端ベルトを掛け渡し、エンジンのクランクシャフトにより、上記回転軸３を回転駆動自在とする。
【０００３】
上記回転軸３を上記ハウジング２に対して回転自在に支持する、従来構造の第１例の玉軸受４は、図１３に詳示する様に、内周面に外輪軌道８を有する外輪９と、外周面に内輪軌道１０を有する内輪１１と、これら内輪軌道１０と外輪軌道８との間に転動自在に設けられ、保持器１２に保持された複数の玉１３、１３とから成る。この保持器１２は、所謂冠形保持器と呼ばれるもので、図１４に示す様に構成している。即ち、この保持器１２は、円環状の主部１６と、この主部１６の軸方向片面（図１４の上面）に等間隔に設けられた複数のポケット１７、１７とを備える。これら各ポケット１７、１７は、上記主部１６の片面に互いに間隔をあけて配置した１対ずつの弾性片１８、１８と、この主部１６の片面でこれら１対ずつの弾性片１８、１８の間部分に設けた凹面部１９、１９とから構成している。そして、上記各ポケット１７、１７に上記玉１３、１３を１個ずつ、転動自在に保持自在としている。この様に構成する各ポケット１７、１７の内面は、その全体を単一の曲率半径を有する球状凹面としている。又、この球状凹面の曲率半径は、上記各玉１３、１３の転動面の曲率半径よりも僅かに大きくしている。この様な保持器１２は、合成樹脂を射出成形する事により、一体に成形している。
【０００４】
玉軸受４を組み立てる際に、上記各玉１３、１３は、上記各ポケット１７、１７を構成する１対ずつの弾性片１８、１８の先端部同士の間隔を弾性的に押し広げつつ、これら１対の弾性片１８、１８同士の間に押し込む。そして、押し込んだ状態では、上記各玉１３、１３を上記各ポケット１７、１７内に転動自在に保持する。
【０００５】
又、前記外輪９の内周面の両端部と前記内輪１１の外周面の両端部との間に、１対のシールリング１４、１４を設け、これら内周面と外周面との間に存在する内部空間１５を外部から密封している。又、この内部空間１４にはグリースを封入しており、このグリースにより前記外輪軌道８及び内輪軌道１０と上記各玉１３、１３の転動面との転がり接触部を潤滑している。上記各シールリング１４、１４は、上記内部空間１５内に封入したグリースが外部に漏出する事を防止すると共に、外部からこの内部空間１５内に塵芥等の異物が侵入する事を防止する。この様に構成する上記玉軸受４は、上記外輪９を前記ハウジング２（図１２）に内嵌固定し、上記内輪１１を前記回転軸３（図１２）に外嵌固定する事により、この回転軸３を上記ハウジング２に対して回転自在に支持する。尚、玉軸受に組み込む保持器として、上記玉軸受４に組み込んだ合成樹脂製の冠形保持器である保持器１２以外に、金属に打ち抜き加工を施す事により造るもみ抜き保持器と呼ばれるものや、金属板にプレス加工を施す事により造る波形プレス保持器と呼ばれるものも使用されている。但し、上述の冠形保持器である保持器１２の場合には、上述のもみ抜き保持器や波形プレス保持器の場合に比べて、自己潤滑性、低摩擦特性、重量（軽量化）、耐食性、静粛性の面から優れる為、玉軸受４が高速回転する環境では好ましく使用されている。
【０００６】
上述の様にオルタネータ１に組み込む玉軸受４の場合、回転軸３の回転に伴って、内部に封入したグリースが攪拌され、各玉１３、１３の転動面と各内輪、外輪軌道１０、８及び各ポケット１７、１７の内面との各転がり接触部にこのグリースが供給される。但し、上記玉軸受４の回転が開始されてから或る程度の時間が経過し、グリースが攪拌されると、この玉軸受４の回転に伴う遠心力の作用によりこのグリースが外径側に振り飛ばされる。この場合、上記内部空間１５内で保持器１２の主部１６側（図１３の左側）の空間の内径側に存在するグリースは、この主部１６を避けつつ外径側に振り飛ばされる為、軸方向外側に位置するシールリング１４の内側面、特に、この内側面の外径寄り部分に設けた段差面２０部分に押し付けられる。この様にシールリング１４の内側面に押し付けられたグリースは、上記内部空間１５内を流動する事なくこの内側面付近に滞留する。この内側面付近に滞留したグリースが、回転している玉１３、１３及び保持器１２に接触して攪拌される事はなく、上記各転がり接触部の潤滑に寄与する事がないまま、時間の経過に伴い熱負荷により劣化する。この結果、これら各転がり接触部に潤滑の為に供給されるグリースが少なくなり、玉軸受４が早期に焼き付き寿命に達する事となる。
【０００７】
これに対して、特許文献２には、図１５に示す様な保持器１２ａを組み込んだ、従来構造の第２例の玉軸受が記載されている。この保持器１２ａは、主部１６の背面（主部１６の軸方向両側面のうち、ポケット１７と反対側の面を言う。逆に、主部１６の軸方向両側面のうちのポケット１７側の面を正面と言う。以下同じ。）に、放射状に延びる複数の凹溝２１、２１を形成している。この様な特許文献２に記載された玉軸受の場合、保持器１２ａの回転に伴い、これら各凹溝２１、２１が、内部空間の内径側に存在するグリースを外径側に送り出す。この為、各転がり接触部にグリースを、或る程度行き渡らせ易くできる可能性がある。
【０００８】
又、特許文献３には、図１６〜１７に示す様な保持器１２ｂを組み込んだ、従来構造の第３例の玉軸受４ａが記載されている。この保持器１２ｂの場合、主部１６の背面（図１６の右面、図１７の下面）の円周方向複数個所に肉盗み部２２、２２を設けると共に、この主部１６の内周面で隣り合う２個ずつのポケット１７、１７同士の間に位置する部分に、これら各肉盗み部２２、２２と連通する複数の切り欠き部２３、２３を設けている。又、これら各肉盗み部２２、２２の外径側側面を、上記主部１６の背面側に向かうに従って径方向外側に向かう方向に傾斜させている。又、図示は省略するが、上記特許文献３には、主部１６の正面に各肉盗み部２２、２２と連通する切り欠き部を設けたり、主部１６の外周面に各肉盗み部２２、２２と連通する切り欠き部を設けた保持器を組み込んだ玉軸受も記載されている。この様な特許文献３に記載された玉軸受の場合、保持器１２ｂの回転に伴い、内輪１１の外周面付近に存在するグリースが上記各肉盗み部２２、２２に入り込み、これら各肉盗み部２２、２２の外径側側面に沿って保持器１２ｂの外径側に移動し易くなる。この為、各転がり接触部にグリースを或る程度行き渡らせ易くできる。又、上記各肉盗み部２２、２２に入り込んだグリースが、これら各肉盗み部２２、２２に滞留したままの状態となる事を防止でき、各転がり接触部の潤滑性の向上を図れる。
【０００９】
上述の様な、図１５〜１７に示した特許文献２、３に記載された、従来構造の第２、３例の玉軸受４ａの場合、各玉１３の転動面と各内輪、外輪軌道１０、８との転がり接触部にグリースを或る程度行き渡らせ易くでき、この転がり接触部の潤滑性の向上を図れる可能性がある。但し、上記従来構造の第２、３例の何れの玉軸受４ａの場合も、保持器１２ａ、１２ｂに形成した凹溝２１、２１や肉盗み部２２、２２及び切り欠き部２３、２３を、円周方向に関して各ポケット１７、１７の開口周縁部から大きく外れた位置に形成している。この為、玉軸受４ａを厳しい条件下で使用した場合には、必ずしも焼き付き寿命を十分に確保できない可能性がある。
【００１０】
特に、前述の図１２に示した様なオルタネータ１は、エンジンルームの省スペース化に伴い小型化される傾向にある。即ち、近年、ＦＦ車（前置エンジン前輪駆動車）の普及により、自動車を小型軽量化すると共に、居住空間を拡大する事が行なわれている。この居住空間の拡大により上記エンジンルームの大きさが制限される為、このエンジンルームに組み込む上記オルタネータ１を小型化する事が要求される。しかし、単に、このオルタネータ１を小型化した場合、オルタネータ１の出力が低下し、自動車に必要な電力を確保する事ができない。そこで、この出力の低下を補う為に、近年、上記オルタネータ１を構成する回転軸３を高速で回転させる事が行なわれている。即ち、この回転軸３の中間部に固定したロータ５を高速で回転させる事により、上記オルタネータ１の発電量を増大させる。この結果、上記オルタネータ１を小型化すると共に、この小型化に伴うオルタネータ１の出力の低下を補う事ができる。
【００１１】
又、上記オルタネータ１はエンジン近傍に設けられる為、上記回転軸３をハウジング２に支持する為の玉軸受４の使用温度が高くなり易い。又、自動車の静粛性向上を目的としてエンジンルームを密封化した場合には、エンジンルーム内が高温となる。この場合には、上記玉軸受４の使用温度が、より高くなり易い。この様な事情から、近年は、オルタネータ１に使用する玉軸受４が高回転し、高温になる等、使用条件が厳しくなっている。そこで、この様な厳しい条件下で使用する場合でも、焼き付き寿命を十分に確保できる玉軸受４の実現が望まれている。
【００１２】
尚、特許文献４には、図１８に示す様な保持器１２ｃを組み込んだ、従来構造の第４例の玉軸受が記載されている。この保持器１２ｃの場合、主部１６の背面（図１８の下面）で、円周方向に関して隣り合う２個ずつのポケット１７、１７の間に位置する部分に複数の背面側凹部２４、２４を形成している。又、上記主部１６の外周面で、円周方向に関してこれら各背面側凹部２４、２４と同位置に、複数の外径側凹部２５、２５を形成している。そして、これら各外径側凹部２５、２５と上記各背面側凹部２４、２４とを連通させている。この様な従来構造の第４例の玉軸受は、外側部材の内周面と軸の外周面との間に１対組み込んだ状態で、この玉軸受の軸方向片側から上記各背面側凹部２４、２４を利用して、玉軸受の内部に十分量の潤滑剤を効率良く供給できる可能性がある。又、上記従来構造の第４例の玉軸受の場合、使用時に、上記主部１６の背面側から上記各背面側凹部２４、２４内に入り込んだグリースを上記各外径側凹部２５、２５を通じてこの主部１６の外径側に導き、各転がり接触部での潤滑性の向上を図れると言った効果を得られないとは言い切れない。但し、上記従来構造の第４例の玉軸受の場合も、前述の図１５〜１７に示した従来構造の第２、３例の玉軸受の場合と同様に、各背面側凹部２４、２４及び各外径側凹部２５、２５を、円周方向に関して各ポケット１７、１７の開口周縁部から大きく外れた位置に形成している為、前述の様な厳しい条件下で使用した場合に焼き付き寿命を十分に確保できない可能性がある。
【００１３】
【特許文献１】特開平７−１３９５５０号公報
【特許文献２】実開平５−７３３１８号公報
【特許文献３】特開２００３−３５３１７号公報
【特許文献４】特開２００１−２７２４８号公報
【発明の開示】
【発明が解決しようとする課題】
【００１４】
本発明は、上述の様な事情に鑑みて、厳しい条件下で使用する場合でも、耐久性を十分に確保できる玉軸受を実現すべく発明したものである。
【課題を解決するための手段】
【００１５】
本発明の保持器は、前述した従来から知られている保持器と同様に、円環状の主部と、この主部の軸方向片面に設けられた、それぞれの内周面を凹面とした複数のポケットとを備え、これら各ポケットは、上記主部の軸方向片面に互いに間隔をあけて配置された１対ずつの弾性片同士の間に設けられたものである。
【００１６】
特に、本発明の保持器に於いては、上記内、外両周面のうちの少なくとも一方の周面で、上記各ポケットの開口周縁部に、この一方の周面のうちのこれら各開口周縁部から外れた部分よりも径方向に凹入する凹部を形成している。
【００１７】
又、請求項３に記載した本発明の玉軸受は、前述した従来から知られている玉軸受と同様に、内周面に外輪軌道を有する外輪と、外周面に内輪軌道を有する内輪と、これら外輪軌道と内輪軌道との間にそれぞれ転動自在に設けられた複数個の玉と、上記各玉を転動自在に保持する保持器と、上記外輪の両端部内周面と上記内輪の両端部外周面との間に設けられた１対のシール部材とを備える。又、この外輪の内周面とこの内輪の外周面との間で上記各玉を設置した内部空間内にグリースを封入している。
特に、本発明の玉軸受に於いては、上記保持器が、上述した本発明の保持器である。
【発明の効果】
【００１８】
上述の様に構成する本発明の保持器及びこれを組み込んだ玉軸受の場合には、玉軸受の内部空間で各ポケットの開口周縁部の径方向に存在する空間を大きくできると共に、各凹部内に入り込んだグリースをこれら各凹部内に保持したままの状態に維持し易くできる。この為、各玉の転動面にグリースを付着し易くする事により、このグリースを各内輪、外輪軌道及び各ポケットの内面に供給し易くできる。従って、上記各玉の転動面と各内輪、外輪軌道及び各ポケットの内面との転がり接触部の潤滑に、玉軸受の内部に封入されたグリースの多くを寄与させる事ができ、前述の様な厳しい条件下で使用した場合でも玉軸受の焼き付き寿命を十分に確保できる。尚、本発明の保持器の場合、上記各ポケットの開口周縁部に形成する凹部の断面形状は、円弧、Ｖ字形等、種々の形状を採用できる。
【発明を実施するための最良の形態】
【００１９】
本発明の保持器を実施する場合に好ましくは、請求項２に記載した様に、内周面及び外周面で各ポケットの開口周縁部に、これら内周面及び外周面のうちのこれら各開口周縁部から外れた部分よりも径方向に凹入する凹部を形成する。
この好ましい構成によれば、保持器を組み込んだ玉軸受の焼き付き寿命を、より著しく向上させる事ができる。
【００２０】
又、本発明の玉軸受を実施する場合に好ましくは、請求項４に記載した様に、外輪をオルタネータを構成するハウジングに内嵌し、内輪をこのオルタネータを構成する回転軸に外嵌する事により、この回転軸をこのハウジングに対し回転自在に支持した状態で使用する。
この好ましい構成の場合には、玉軸受が前述した様な厳しい条件下で使用される。この為、保持器の内、外両周面のうちの少なくとも一方の周面で、各ポケットの開口周縁部に、この一方の周面のうちのこれら各開口周縁部から外れた部分よりも径方向に凹入する凹部を形成する事により、玉軸受の焼き付き寿命の向上を図れると言った効果が顕著になる。
【実施例１】
【００２１】
図１〜３は、請求項１、３、４に対応する、本発明の実施例１を示している。尚、本実施例の玉軸受４ｂの特徴は、前述した様な厳しい条件下で使用する場合でも、玉軸受４ｂの焼き付き寿命を十分に確保すべく、保持器１２ｄの構造を工夫した点にある。その他の玉軸受４ｂの構造は、前述の図１３に示した従来構造の第１例の玉軸受４の場合と同様である為、同等部分には同一符号を付して重複する説明は省略する。
【００２２】
上記保持器１２ｄは、円環状の主部１６と、この主部１６の軸方向片面（図１、２の右側面、図３の表側面）に設けられた、それぞれの内周面を凹面とした複数のポケット１７、１７とを備える。又、これら各ポケット１７、１７は、上記主部１６の軸方向片面に互いに間隔をあけて配置された１対ずつの弾性片１８、１８と、この主部１６の片面でこれら１対ずつの弾性片１８、１８の間部分に設けた凹面部１９、１９とから構成している。
【００２３】
特に、本実施例の保持器１２ｄの場合には、内周面のうちの上記各ポケット１７、１７の開口周縁部に、この内周面のうちのこれら各開口周縁部から外れた部分よりも外径側に凹入する複数の内径側凹部２６、２６を形成している。又、本実施例の保持器１２ｄの場合には、中心軸ｏに対し直交する仮想平面に関するこれら各内径側凹部２６、２６の断面形状を、この中心軸ｏをその中心とし、これら各内径側凹部２６、２６同士で互いにほぼ同じ曲率半径を有する円弧としている。この様に構成する本実施例の玉軸受４ｂは、前述の図１２に示した様な、オルタネータ１の回転軸３をハウジング２に対し回転自在に支持する為の回転支持部に組み込んで使用する。この為に、本実施例の玉軸受４ｂの使用時には、上記外輪９を上記ハウジング２に内嵌固定すると共に、上記内輪１１を上記回転軸３に外嵌固定する。
【００２４】
前述の様に構成し、上述の様な状態で使用する本実施例の保持器１２ｄ及びこれを組み込んだ玉軸受４ｂの場合には、玉軸受４ｂの内部空間１５で各ポケット１７、１７の内径側開口周縁部の内径側に存在する空間を大きくできると共に、各内径側凹部２６、２６内に入り込んだグリースをこれら各内径側凹部２６、２６内に保持したままの状態に維持し易くできる。この為、各玉１３、１３の転動面にグリースを付着し易くする事により、このグリースを各内輪、外輪軌道１０、８及び各ポケット１７、１７の内面に供給し易くできる。従って、上記各玉１３、１３の転動面と各内輪、外輪軌道１０、８及び各ポケット１７、１７の内面との転がり接触部の潤滑に、玉軸受４ｂの内部に封入されたグリースの多くを寄与させる事ができ、前述の様な厳しい条件下で使用した場合でも玉軸受４ｂの焼き付き寿命を十分に確保できる。
【００２５】
又、本実施例の玉軸受４ｂは、オルタネータ１の回転軸３をハウジング２に対し回転自在に支持する為の回転支持部に組み込んで使用する為、玉軸受４ｂが前述した様な厳しい条件下で使用される。この為、保持器１２ｄの内周面で、各ポケット１７、１７の開口周縁部に、この内周面のうちのこれら各開口周縁部から外れた部分よりも外径側に凹入する複数の内径側凹部２６、２６を形成する事により、玉軸受１２ｄの焼き付き寿命の向上を図れると言った効果が顕著になる。尚、上記オルタネータ１の回転軸３をハウジング２に対し回転自在に支持する為の１対の玉軸受４ｂのうち、従動プーリ７（図１２参照）側の玉軸受４ｂは、この従動プーリ７と反対側の玉軸受４ｂよりも、高荷重が加わったり、内部に異物が侵入し易くなる等、使用条件が厳しくなる。この為、これら１対の玉軸受４ｂのうち、何れか一方の玉軸受４ｂのみに本発明を適用する場合には、従動プーリ７側の玉軸受４ｂに本発明を適用する事が、玉軸受４ｂの焼き付き寿命の向上を有効に図る面から好ましい。
【実施例２】
【００２６】
次に、図４〜６は、やはり請求項１、３、４に対応する、本発明の実施例２の玉軸受を示している。本実施例の場合には、保持器１２ｅの外周面で、各ポケット１７、１７の開口周縁部に、この外周面のうちのこれら各ポケット１７、１７の開口周縁部から外れた部分よりも内径側に凹入する、それぞれが断面円弧形の複数の外径側凹部２７、２７を形成している。この様な本実施例の場合には、保持器１２ｅの外周面に各外径側凹部２７、２７を形成した事に伴って、本実施例により得られる作用及び効果に就いての内、外が、上述した実施例１の場合と逆になる。その他の構成及び作用に就いては、上述した実施例１の場合と同様である為、同等部分には同一符号を付して重複する説明は省略する。
【実施例３】
【００２７】
次に、図７〜９は、請求項１〜４に対応する、本発明の実施例３を示している。本実施例の保持器１２ｆ及び玉軸受４ｄの場合には、前述の図１〜３に示した実施例１と上述の図４〜６に示した実施例２との構造を組み合わせた如き構造を有する。即ち、本実施例の保持器１２ｆの場合には、内、外両周面で、各ポケット１７、１７の開口周縁部に、これら内、外両周面のうちのこれら各ポケット１７、１７の開口周縁部から外れた部分よりも径方向に凹入する複数の内径側、外径側各凹部２６、２７を形成している。
【００２８】
この様に構成する本実施例の場合には、玉軸受４ｄの焼き付き寿命を、より著しく向上させる事ができる。その他の構成及び作用に就いては、上述した実施例１又は実施例２の場合と同様である為、同等部分には同一符号を付して重複する説明は省略する。
【実施例４】
【００２９】
次に、図１０〜１１は、請求項１、３、４に対応する、本発明の実施例４を示している。本実施例の場合には、保持器１２ｇの内周面の断面形状を多角形としている。そして、この内周面の中心軸ｏからこの内周面迄の寸法を、各ポケット１７、１７の円周方向中央部に対応する位置で最も大きくしている。そして、保持器１２ｇの内周面で、これら各ポケット１７、１７の開口周縁部に、この内周面のうちのこれら各開口周縁部から外れた部分よりも外径側に凹入する、それぞれが断面Ｖ字形である複数の内径側凹部２６ａ、２６ａを形成している。又、これら各内径側凹部２６ａ、２６ａの底部の円周方向位置を、上記各ポケット１７、１７の円周方向中央位置とほぼ同じにしている。
その他の構成及び作用に就いては、前述の図１〜３に示した実施例１の場合と同様である為、同等部分には同一符号を付して重複する説明は省略する。
【図面の簡単な説明】
【００３０】
【図１】本発明の実施例１の玉軸受を示す断面図。
【図２】図１から保持器のみを取り出して示す図。
【図３】図２を右方から見た図。
【図４】本発明の実施例２の玉軸受を示す断面図。
【図５】図４から保持器のみを取り出して示す図。
【図６】図５を右方から見た図。
【図７】本発明の実施例３の玉軸受を示す断面図。
【図８】図７から保持器のみを取り出して示す図。
【図９】図８を右方から見た図。
【図１０】本発明の実施例４の玉軸受に組み込む保持器を示す断面図。
【図１１】図１０を右方から見た図。
【図１２】従来から知られているオルタネータの１例を示す断面図。
【図１３】従来構造の第１例の玉軸受を示す断面図。
【図１４】図１３から保持器のみを取り出して示す斜視図。
【図１５】従来構造の第２例の玉軸受に組み込む保持器を示す斜視図。
【図１６】同第３例の玉軸受を示す部分断面図。
【図１７】図１６から保持器のみを取り出して一部を切断して示す斜視図。
【図１８】従来構造の第４例の玉軸受に組み込む保持器を、一部を切断して示す斜視図。
【符号の説明】
【００３１】
１    オルタネータ
２    ハウジング
３    回転軸
４、４ａ〜４ｄ  玉軸受
５    ロータ
６    整流子
７    従動プーリ
８    外輪軌道
９    外輪
１０    内輪軌道
１１    内輪
１２、１２ａ〜１２ｇ  保持器
１３    玉
１４    シールリング
１５    内部空間
１６    主部
１７    ポケット
１８    弾性片
１９    凹面部
２０    段差面
２１    凹溝
２２    肉盗み部
２３    切り欠き部
２４    背面側凹部
２５    外径側凹部
２６、２６ａ  内径側凹部
２７    外径側凹部
【図１】
2005214257.tif 000003
【図２】
2005214257.tif 000004
【図３】
2005214257.tif 000005
【図４】
2005214257.tif 000006
【図５】
2005214257.tif 000007
【図６】
2005214257.tif 000008
【図７】
2005214257.tif 000009
【図８】
2005214257.tif 000010
【図９】
2005214257.tif 000011
【図１０】
2005214257.tif 000012
【図１１】
2005214257.tif 000013
【図１２】
2005214257.tif 000014
【図１３】
2005214257.tif 000015
【図１４】
2005214257.tif 000016
【図１５】
2005214257.tif 000017
【図１６】
2005214257.tif 000018
【図１７】
2005214257.tif 000019
【図１８】
2005214257.tif 000020